(57)【特許請求の範囲】
【請求項１】
歌唱による歌唱者の顎の動きを検出する検出装置と通信自在であり、当該検出装置から送信されてくる検出信号を受信可能なカラオケ装置であって、
楽曲の演奏中に前記検出装置より受信した検出信号を計数する計数処理手段と、
歌唱される前記楽曲の歌詞データに含まれる歌詞文字の音節に応じて歌唱者の顎の動きを推測するリファレンス回数を、音節と顎の開閉回数とを予め設定した所定数の音節テーブルに基づいて算出するリファレンス情報処理手段と、
前記計数処理手段で計数された回数と、前記リファレンス情報処理手段で算出されたリファレンス回数とを比較し、比較結果の差が小さいほど高評価を与える比較評価手段と、
を有することを特徴とするカラオケ装置。
【請求項２】
請求項１記載のカラオケ装置であって、
前記歌詞データは、歌詞文字列単位で複数の歌唱区間に区分されており、
前記所定数の音節テーブルは、一つの音節を発声する際の顎の開閉回数を対応付けた単音節テーブル、二つの音節について第一の音節を発声した状態から第二の音節を発声する際の顎の開閉回数を当該二つの音節の順による組に対応付けた２連音節テーブルであり、
前記リファレンス情報処理手段は、
前記歌唱区間ごとに、前記歌詞データの先頭文字から順次音節を特定する音節特定手段と、
前記音節特定手段により特定された音節が、歌唱区間の先頭の場合に当該音節に対応する顎の開閉回数を前記単音節テーブルより特定し、歌唱区間の先頭以外の音節の場合に当該音節の直前の音節と当該音節の順による組に対応する顎の開閉回数を前記２連音節テーブルから特定するリファレンス回数特定手段と、
を備えることを特徴とするカラオケ装置。
【発明の詳細な説明】
【技術分野】
【０００１】
本発明は、カラオケ歌唱における発声支援機能を備えるカラオケ装置に関する。
【背景技術】
【０００２】
近年、カラオケルームに設置されたカラオケ装置の演奏に合わせて利用者が歌唱する際に、良い発声をするために、また美容や健康のために、口を大きく開けて歌唱することが推奨されている。カラオケ歌唱においては、極端に口を大きく開けることにより顎関節への負担が増して弊害が生じる可能性があるため、大きく口を開けることを意識するのではなく、下顎の関節をリラックスさせてスムーズに動かすことを意識することが必要と考えられている。一方で、気心の知れたメンバーと歌唱するような時は、指導者のもとで歌唱する場合とは異なり、特に顎の動きなど気に留めることもなく、さらにマイク信号の増幅機能により余り下顎骨を動かさずに歌唱する傾向が強く、このような歌唱者の傾向に対しては、下顎の関節をリラックスさせてスムーズに動かすことを意識させるカラオケコンテンツの提供が望まれる。
【０００３】
従来、顎の動きを検出する技術として、例えば、特許文献１のように、咀嚼によって生じる筋肉の動きによる耳道内の圧力変化を、外耳道内に挿入した圧力センサによって感知して測定し、その圧力変化の回数を咀嚼回数として表示する技術が知られている。また、特許文献２のように、基台部を人体に密着させ、当該基台部に連続して検知手段が位置されて咀嚼により派生する動きを検知し、この検知信号を受信して咀嚼回数として記録して表示する技術も知られている。
【０００４】
一方、カラオケにおいては歌唱者の口の形状の適切さを採点結果に反映させる技術が知られており、例えば、特許文献３のように、口の理想的な縦横比を表す形状データを母音ごとに有する理想形状データとして記憶しておき、演奏中の楽曲データ内の歌詞データに基づいて特定される歌唱者が現に発音すべき音節を、当該音節を構成する母音に応じた形状データを理想形状データから抽出し、この抽出した形状データの縦横比に対するカメラの撮像画像から計測された歌唱者の口の縦横比の形状適合度を算出して、この形状適合度に基づく画像点数データを生成する技術が知られている。
【先行技術文献】
【特許文献】
【０００５】
【特許文献１】特開平０７−２１３５１０号公報
【特許文献２】特開平０７−１７１１３６号公報
【特許文献３】特開２００５−２４２２３０号公報
【発明の概要】
【発明が解決しようとする課題】
【０００６】
ところで、カラオケ楽曲を歌詞に従って歌唱することは咀嚼と同様に顎を動かすことになるため、特許文献１や特許文献２に記載の咀嚼回数を検出できる装置を歌唱者が装着することで、歌唱の際の顎の動きを検出することが可能となるが、咀嚼回数を楽曲に関連付けることができず、歌唱時に歌詞に沿ってスムーズな顎の動きが出来ているか否かを特定して良い発声を促す歌唱支援とすることができないという問題がある。
【０００７】
また、特許文献３に記載の技術は、単に歌唱採点をさせる手法に過ぎず、歌唱時の口の形状の特定だけでは歌唱時に歌詞の沿ってスムーズな顎の動きが出来ているか否かを判定することができず、良い発声を促す歌唱支援とさせることができないという問題がある。
【０００８】
そこで、本発明は上記課題に鑑みなされたもので、歌唱時に下顎の関節をリラックスさせてスムーズに動かすことを意識させて良い発声を促す歌唱を支援するカラオケ装置を提供することを目的とする。
【課題を解決するための手段】
【０００９】
上記課題を解決するために、請求項１の発明では、歌唱による歌唱者の顎の動きを検出する検出装置と通信自在であり、当該検出装置から送信されてくる検出信号を受信可能なカラオケ装置であって、楽曲の演奏中に前記検出装置より受信した検出信号を計数する計数処理手段と、歌唱される前記楽曲の歌詞データに含まれる歌詞文字の音節に応じて歌唱者の顎の動きを推測するリファレンス回数を、音節と顎の開閉回数とを予め設定した所定数の音節テーブルに基づいて算出するリファレンス情報処理手段と、前記計数処理手段で計数された回数と、前記リファレンス情報処理手段で算出されたリファレンス回数とを比較し、比較結果の差が小さいほど高評価を与える比較評価手段と、を有する構成とする。
【００１０】
請求項２の発明では、「前記歌詞データは、歌詞文字列単位で複数の歌唱区間に区分されており、前記所定数の音節テーブルは、一つの音節を発声する際の顎の開閉回数を対応付けた単音節テーブル、二つの音節について第一の音節を発声した状態から第二の音節を発声する際の顎の開閉回数を当該二つの音節の順による組に対応付けた２連音節テーブルであり、前記リファレンス情報処理手段は、前記歌唱区間ごとに、前記歌詞データの先頭文字から順次音節を特定する音節特定手段と、前記音節特定手段により特定された音節が、歌唱区間の先頭の場合に当該音節に対応する顎の開閉回数を前記単音節テーブルより特定し、歌唱区間の先頭以外の音節の場合に当該音節の直前の音節と当該音節の順による組に対応する顎の開閉回数を前記２連音節テーブルから特定するリファレンス回数特定手段と、を備える、」構成とする。
【発明の効果】
【００１１】
請求項１の発明によれば、楽曲の演奏中に検出装置より受信した検出信号を計数し、歌唱される楽曲の歌詞データに含まれる歌詞文字の音節に応じて歌唱者の顎の動きを推測するリファレンス回数を、音節と顎の開閉回数とを予め設定した所定数の音節テーブルに基づいて算出し、当該検出信号を計数した回数と、当該算出されたリファレンス回数とを比較して比較結果の差が小さいほど高評価を与える構成とすることにより、実際に歌唱した際に顎を動かした回数と、当該楽曲の顎を動かすべき回数とを比較することから、歌唱者はこの比較結果により歌唱時にスムーズな顎の動きが出来ているか否かを確認することが可能となり、歌唱時に下顎の関節をリラックスさせてスムーズに動かすことを意識させて良い発声を促す歌唱を支援することができるものである。
【００１２】
請求項２の発明によれば、歌詞データは、歌詞文字列単位で複数の歌唱区間に区分されており、一つの音節を発声する際の顎の開閉回数を対応付けた単音節テーブル、二つの音節について第一の音節を発声した状態から第二の音節を発声する際の顎の開閉回数を当該二つの音節の順による組に対応付けた２連音節テーブルを備え、歌唱区間ごとに、歌詞データの先頭文字から順次音節を特定し、特定された音節が、歌唱区間の先頭の場合に当該音節に対応する顎の開閉回数を単音節テーブルより特定し、歌唱区間の先頭以外の音節の場合に当該音節の直前の音節と当該音節の順による組に対応する顎の開閉回数を２連音節テーブルから特定する構成とすることにより、歌詞データより楽曲歌唱の際に開閉するであろうリファレンス回数を推測、特定することから、数万曲にも及ぶカラオケ楽曲に対して予めデータを作成する必要がなく、簡易構成で実現することができるものである。
【図面の簡単な説明】
【００１３】
【図１】本発明に係るカラオケ装置のブロック構成図である。
【図２】図１の単音節テーブル及び２連音節テーブルの説明図である。
【図３】リファレンス回数特定対象の歌詞データの説明図である。
【図４】図１の検出装置のブロック構成図である。
【図５】図１のリファレンス回数特定手段における歌詞データに基づく回数特定処理の説明図である。
【図６】図５の個別音節の回数特定処理の説明図である。
【発明を実施するための形態】
【００１４】
以下、本発明の実施形態を図により説明する。
図１に本発明に係るカラオケ装置のブロック構成図を示すと共に、図２に図１の単音節テーブル及び２連音節テーブルの説明図を示し、図３にリファレンス回数特定対象の歌詞データの説明図を示し、図４に図１の検出装置のブロック構成図を示す。
【００１５】
図１において、カラオケ装置１１は、主要装置としてのカラオケ本体１２に、有線又は無線で外部接続されるものとして、表示部１３、ミキシングアンプ１４、マイク１５、スピーカ１６、遠隔入出力装置１７が接続されることで構成され、当該カラオケ本体１２は、所定数の検出装置１８（１８Ａ〜１８Ｎ）に対して通信自在とされる（検出装置１８については図４で説明する）。
【００１６】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。
【００１７】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ、楽曲検索手段である選曲楽曲登録手段１７Ｂ、検出装置選択手段１７Ｃ及びリモコン表示部１７Ｄを適宜備える。
【００１８】
上記ログイン・ログアウト処理手段１７Ａは、利用者によるログイン操作に応じて当該利用者より利用者名や利用者ＩＤを取得し、ＲＡＭ２３に利用者情報４２として記憶してログインを許可する処理を行うと共に、ログアウト操作に応じて利用終了の処理を行うプログラムである。なお、遠隔入出力装置１７は後述のＧＵＩ機能によって利用者が歌唱したい楽曲を検索して予約することが可能であるが、利用者は先にカラオケ装置１１にログインしていることが望ましい。
【００１９】
上記選曲楽曲登録手段１７Ｂは、楽曲ＩＤや曲名、アーチスト名などのデータからなるテーブルに基づいて、利用者が所望する楽曲を検索させ、選曲された楽曲の楽曲ＩＤをカラオケ本体１２に送信するプログラムである。送信された楽曲ＩＤは、カラオケ本体１２におけるＲＡＭ２３予約待ち行列４１に登録される。上記検出装置選択手段１７Ｃは、検出装置１８とログインした利用者とを対応付けるプログラムである。
【００２０】
具体的には、リモコン表示部１７Ｄに、既にカラオケ装置１１とペアリングがなされている検出装置１８Ａ〜１８Ｎのリストを表示させ、当該リストの中から、自分の使用する検出装置１８を選択することで利用者と検出装置１８とを対応付け、その情報をＲＡＭ２３に利用者情報４２の一つとして記憶する。そして、利用者は楽曲予約時に、歌唱者として自分を選択した上で予約操作を行えば、当該楽曲の演奏時にカラオケ装置１１は、当該利用者に対応付けられている検出装置１８からの検出信号のみを受信することになる。
【００２１】
上記リモコン表示部１７Ｄは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２２】
上記カラオケ本体１２は、バス２０、中央制御部２１、ＲＯＭ２２、ＲＡＭ２３、映像表示制御手段２４、音楽演奏制御部２５、音源（シンセサイザ）２５Ａ、採点手段２６、Ａ／Ｄ変換部２６Ａ、送受信部２７、記憶部２８、検出信号受信部３１、計数処理手段３２、音節特定手段３３、リファレンス回数特定手段３４及び比較評価手段３５を備える。音節特定手段３３及びリファレンス回数特定手段３４によりリファレンス情報処理手段を構成する。
【００２３】
上記ＲＡＭ２３には予約待ち行列４１、利用者情報４２、対象歌詞データ４３、歌詞対応集計値４４及び検出計数値４５の記憶領域が形成される。また、記憶部２８には、楽曲データベース（楽曲ＤＢ）５１、映像データベース（映像ＤＢ）５２、リファレンスデータベース（リファレンスＤＢ）５３、単音節テーブル５４及び２連音節テーブル５５が記憶される。なお、上記各構成について、本発明の要旨と直接関連しない要素部分であっても、従前のカラオケシステムにおいても大部分が適用可能であることを示すために、構成要素の全体を説明する。
【００２４】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、利用者情報４２、対象歌詞データ４３、歌詞対応集計値４４及び検出計数値４５の記憶領域が形成される他に、上記種々のプログラムを展開、実行させるための作業領域としての役割をなすもので、例えば半導体メモリで構成され、仮想的にハードディスク上に構築される場合をも含む概念である。
【００２５】
ＲＡＭ２３に記憶される上記対象歌詞データ４３は、楽曲の演奏される際に楽曲ＩＤに基づく楽曲ＤＢ５１より読み出した歌詞データである（図３参照）。この歌詞データは表示部１３の所定の位置に画面表示させるための表示レイアウトデータが付加された歌詞文字の文字コードの集合であり、これら各歌詞文字を色変え処理するタイミングデータが含まれる。また、この歌詞データは頁と行によって区分されており、頁は表示部１３の１画面分における最大表示単位、行は表示部１３に表示したときの横１行分の文字列であり、この頁、または行をひとつの歌唱区間として後述の回数特定処理を行う。なお、読み出し処理は、予約待ち行列４１に予約登録されて演奏開始時に中央制御部２１により行われるが、この処理に特化したプログラムを別に備えさせてもよい。
【００２６】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。なお、比較評価手段３５における評価を表示させることとしてもよい。上記音楽演奏制御部２５は、例えばシーケンスプログラムを備え、楽曲ＩＤで楽曲ＤＢ５１より抽出された音符データに従って音源（シンセサイザ）２５Ａを駆動するもので、当該音源２５Ａの出力は演奏信号としてミキシングアンプ１４に出力される。
【００２７】
上記採点手段２６は、利用者による歌唱音声のピッチを検出して後述の楽曲ごとの主旋律のリファレンスデータの各音高と比較することにより採点するもので、マイク１５から入力されＡ／Ｄ変換部２６Ａでデジタル変換された音声信号を、歌唱採点するためのリファレンスデータに基づいて採点処理を行うプログラムである。具体的には、例えば特許第４２２２９１５号公報に記載されている手法を用いることができる。
【００２８】
上記送受信部２７は、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。
【００２９】
上記記憶部２８に記憶されている楽曲ＤＢ５１は、楽曲毎に、音符データ、歌詞データなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部２８に記憶されている映像ＤＢ５２は、楽曲毎に応じた背景映像データについて楽曲ＩＤをファイル名としてそれぞれ格納したデータベースである。
【００３０】
上記記憶部２８に記憶されているリファレンスＤＢ５３は、楽曲ごとの主旋律のリファレンスデータであって、上記楽曲ＤＢ５１に記憶されているカラオケ楽曲と当該カラオケ楽曲の歌唱区間に合わせた歌唱者による歌唱を評価、分析するための評価基準として用いられるリファレンスデータとを紐付けて記憶するデータベースである。
【００３１】
上記記憶部２８に記憶されている単音節テーブル５４は、歌詞データにおける対象の音節が、歌唱区間の先頭の場合に当該対象の音節を発声するに際して、顎を開く方向、または閉じる方向に動かす回数を特定したテーブルであり、図２（Ａ）に示すように、対象の音節である「母音」若しくは「子音＋母音」の一つの音節に対して顎の開閉回数を予め設定したものである。なお、歌唱区間の先頭の音節は、顎を閉じた状態から歌唱区間の先頭の音節を発声するに際しての顎が動く回数を設定している。
【００３２】
上記記憶部２８に記憶されている２連音節テーブル５５は、歌詞データにおける対象の音節が、歌唱区間の先頭以外の音節の場合に当該対象の音節の直前の音節と当該対象の音節との二つの音節を順に発生する際に、顎を開く方向、又は閉じる方向に動かす回数を特定したテーブルであり、図２（Ｂ）に示すように、対象の音節の直前の音節である「母音」若しくは「子音＋母音」と、対象の音節である「母音」及び「子音＋母音」並びに特殊発声音節（例えば、「母音ａ」及び「子音＋母音ａ」、「母音ｅ」及び「子音＋母音ｅ」、並びに「母音ｏ」及び「子音＋母音ｏ」に対しては「は（ｈａ）」、「へ（ｈｅ）」、「ほ（ｈｏ）」、「ん（ｎ）」）の二つの音節の順による組に対して顎の開閉回数を予め設定したものである。なお、歌唱区間の先頭以外の音節は、二つの連続した音節について、一つ目の音節を発声した状態から二つ目の音節を発声するに際しての顎が動く回数を設定している。
【００３３】
上記検出信号受信部３１は、検出装置１８より送信されてくる検出信号を受信するプログラム乃至電子回路である。上記計数処理手段３２は、楽曲の演奏中に検出装置１８より受信した検出信号を計数し、集計してＲＡＭ２３に検出計数値４５として記憶するプログラム乃至電子回路である。
【００３４】
上記音節特定手段３３及びリファレンス回数特定手段３４で構成されるリファレンス情報処理手段は、歌唱される楽曲の歌詞データの音節に応じて歌唱者の顎の動きを推測するリファレンス回数を、音節と顎の開閉回数とを予め設定した上記単音節テーブル５４及び２連音節テーブル５５に基づいて算出するもので、音節特定手段３３は、ＲＡＭ２３に記憶されている図３に示す対象歌詞データ４３に基づいて歌唱区間ごとに、当該歌詞データの先頭文字から順次音節を特定するプログラムであり（図５で説明する）、リファレンス回数特定手段３４は、音節特定手段３３により特定された音節が、歌唱区間の先頭の場合に当該音節に対応する顎の開閉回数を上記単音節テーブル５４より特定し、歌唱区間の先頭以外の音節の場合に当該音節の直前の音節と当該音節の順による組に対応する顎の開閉回数を上記２連音節テーブル５５から特定して集計し、ＲＡＭ２３に歌詞対応集計値４４として記憶するプログラムである（図５及び図６で説明する）。
【００３５】
上記比較評価手段３５は、上記計数処理手段３２で計数された検出装置１８からの受信検出回数としてＲＡＭ２３に記憶されている検出計数値４５と、リファレンス情報処理手段（音節特定手段３３及びリファレンス回数特定手段３４）で算出されたリファレンス回数であるＲＡＭ２３に記憶されている歌詞対応集計値４４とを比較し、比較結果の差が小さいほど高評価を与え、遠隔入出力装置１７のリモコン表示部１７Ｄ若しくは表示部１３（リモコン表示部１７Ｄと共にでもよい）に表示するプログラムである。なお、評価内容（内容例は後述する）は比較値に応じて予め定めて保持される。
【００３６】
ここで、図１に示される検出装置１８は、ウェアラブル端末であって、カラオケルームなどに常備されて利用者によって当該検出装置１８を選択的に所持されるもので、予めカラオケ装置１１（検出信号受信部３１）と近距離無線通信によりペアリングがなされている。検出装置１８は、図４に示すように、装置本体６１に検出処理手段６２及び検出送信手段６３を備え、外部に延長接続された検知センサ６４を備える。当該検出処理手段６２は、装置ＩＤを保持して装置全体を統御するプログラムを備え、当該利用者がログインしたときに当該検出装置１８（装置ＩＤ）を選択指定することにより関連付けられてＲＡＭ２３に利用者情報４２の一部として記憶される。
【００３７】
上記検出送信手段６３は、ペアリングされたカラオケ装置１１の検出信号受信部３１に対して検知センサ６４で検知した検出信号を送信するプログラム乃至電子回路である。上記検知センサ６４は、歌唱による顎の動きを検出する圧力センサなどの検出素子を備えるもので、利用者の耳孔内に挿入できる形態のものや、耳孔周辺に装着できる形態などのものを使用することができるものである。
【００３８】
そこで、図５に図１のリファレンス回数特定手段における歌詞データに基づく回数特定処理の説明図を示すと共に、図６に図５の個別音節の回数特定処理の説明図を示す。ここでは、カラオケ楽曲の演奏の際に、図３に示すＲＡＭ２３に対象歌詞データ４３が記憶されていることを前提とする。
【００３９】
カラオケ楽曲の演奏開始の際に、当該楽曲の楽曲ＩＤに基づいて、ＲＡＭ２３より読み出された図３に示す対象歌詞データ４３に対して、音節特定手段３３が、図５に示すように、歌詞データの最初の文字から順に、対象歌詞データの２行分の歌唱区間を一つのフレーズ区間として、文字コードがひらがなである文字を音節としてフレーズ区間ごとに特定していく（漢字は特定しない）。
【００４０】
リファレンス回数特定手段３４は、図５に示すように、音節特定手段３３により特定された音節に対し、フレーズ区間の先頭の音節に対しては単音節テーブル５４を参照して対応する顎の開閉回数を特定し、フレーズ区間の先頭以外の音節に対しては２連音節テーブル５５を参照して当該対象の音節の直前の音節と当該対象の音節の順による組に対応する顎の開閉回数を特定していくものである。
【００４１】
具体例を示すと、図６（Ａ）の例では、演奏に沿った図５の文字番号２の「あ」［（子音＋）ａ］の音節について、フレーズ区間の先頭であるため、単音節テーブル５４を参照して対象の音節［（子音＋）ａ］に対応する回数「１」を特定する。また、図６（Ｂ）の例では、演奏に沿った図５の文字番号３の「た」［（子音＋）ａ］の音節について、フレーズ区間の途中であるため、直前の音節が「あ」［（子音＋）ａ］であることを特定し、２連音節テーブル５５を参照して対象の音節［（子音＋）ａ］→［（子音＋）ａ］に対応する回数「２」を特定する。
【００４２】
図６（Ｃ）の例では、演奏に沿った図５の文字番号７の「く」［（子音＋）ｕ］の音節について、フレーズ区間の途中であるため、直前の音節が「を」［（子音＋）ｏ］であることを特定し、２連音節テーブル５５を参照して対象の音節［（子音＋）ｏ］→［（子音＋）ｕ］に対応する回数「１」を特定する。さらに、図６（Ｄ）の例では、演奏に沿った図５の文字番号８の「も」［（子音＋）ｏ］の音節について、フレーズ区間の途中であるため、直前の音節が「く」［（子音＋）ｕ］であることを特定し、２連音節テーブル５５を参照して対象の音節［（子音＋）ｕ］→［（子音＋）ｏ］に対応する回数「１」を特定する。
【００４３】
そして、リファレンス回数特定手段３４において、上記歌詞データの特定する音節ごとに特定したリファレンス回数を集計してＲＡＭ２３に歌詞対応集計値４４として記憶する。一方で、カラオケ演奏に対する利用者の歌唱中に、当該利用者によって使用されている検出装置１８より歌唱に際する顎の開閉に対応する検出信号を計数処理手段３２が受信して集計し、歌唱終了後にＲＡＭ２３の検出計数値４５として記憶する。
【００４４】
そこで、比較評価手段３５は、ＲＡＭ２３に記憶されている歌詞対応集計値４４と検出計数値４５とを比較し、比較結果の差が小さいほど高評価を与えるもので、例えば、「この楽曲の標準的な顎の動く回数は１００回、あなたの顎の動いた回数は８８回、もう少し顎の動きを意識して歌唱しましょう！」などの表示内容を遠隔入出力装置１７のリモコン表示部１７Ｄ及び表示部１３の一方又は両方に表示するものである。
【００４５】
このように、実際に歌唱した際に顎を動かした回数と、当該楽曲の顎を動かすべきリファレンス回数とを比較することから、歌唱者はこの比較結果により歌唱時にスムーズな顎の動きが出来ているか否かを確認することが可能となり、歌唱時に下顎の関節をリラックスさせてスムーズに動かすことを意識させて良い発声を促す歌唱を支援することができるものである。
【００４６】
また、歌詞データより楽曲歌唱の際に開閉するであろう顎の開閉回数（リファレンス回数）を推測、特定することから、数万曲にも及ぶカラオケ楽曲に対して予めデータを作成する必要がなく、簡易構成で実現することができるものである。
【産業上の利用可能性】
【００４７】
本発明のカラオケ装置は、カラオケの基本的機能を備えたカラオケ端末及びカラオケ用のサーバの製造、使用、販売等の産業に利用可能である。
【符号の説明】
【００４８】
１１            カラオケ装置
１２            カラオケ本体
１７            遠隔入出力装置
１８            検出装置
２８            記憶部
３１            検出信号受信部
３２            計数処理手段
３３            音節特定手段
３４            リファレンス回数特定手段
３５            比較評価手段
４３            対象歌詞データ
４４            歌詞対応集計値
４５            検出計数値
５３            リファレンスデータベース
５４            単音節テーブル
５５            ２連音節テーブル
６３            検出送信手段
６４            検知センサ
【図１】
0006429610.tif 000002
【図２】
0006429610.tif 000003
【図３】
0006429610.tif 000004
【図４】
0006429610.tif 000005
【図５】
0006429610.tif 000006
【図６】
0006429610.tif 000007